(57)【特許請求の範囲】
【請求項１】
識別情報をそれぞれ保持し、一つずつ搬送される複数のＲＦＩＤタグから、前記識別情報をそれぞれ検出し、前記ＲＦＩＤタグから前記識別情報を検出した後、前記識別情報が検出された前記ＲＦＩＤタグから前記識別情報が検出されないように制御する検出装置と、
前記ＲＦＩＤタグから前記識別情報が検出された発行対象タグに、物品情報をそれぞれ書き込む複数の書き込み装置と、
を備え、
前記検出装置は、前記識別情報を検出した順に、前記識別情報を前記書き込み装置のいずれかに通知し、
前記書き込み装置は、前記検出装置から通知された前記識別情報を保持する前記発行対象タグに対して前記物品情報を書き込む、
ことを特徴とするＲＦＩＤタグ発行システム。
【請求項２】
前記書き込み装置は、
第１書き込み装置と第２書き込み装置とを有する、
ことを特徴とする請求項１記載のＲＦＩＤタグ発行システム。
【請求項３】
前記検出装置は、
前記ＲＦＩＤタグの奇数番目のＲＦＩＤタグから前記識別情報を検出すると、検出した前記識別情報を前記第１書き込み装置に通知し、
前記ＲＦＩＤタグの偶数番目のＲＦＩＤタグから前記識別情報を検出すると、検出した前記識別情報を前記第２書き込み装置に通知する、
ことを特徴とする請求項２記載のＲＦＩＤタグ発行システム。
【請求項４】
識別情報をそれぞれ保持し、一つずつ搬送される複数のＲＦＩＤタグから前記識別情報をそれぞれ検出し、前記ＲＦＩＤタグから前記識別情報を検出した後、前記識別情報が検出された前記ＲＦＩＤタグから前記識別情報が検出されないように制御する検出装置に、前記識別情報を検出させた順に前記識別情報を、前記ＲＦＩＤタグから前記識別情報が検出された発行対象タグに物品情報をそれぞれ書き込む複数の書き込み装置のいずれかに通知させ、
前記書き込み装置に、前記検出装置から通知された前記識別情報を保持する前記発行対象タグに対して前記物品情報を書き込ませる、
ことを特徴とするＲＦＩＤタグ発行方法。
【発明の詳細な説明】
【技術分野】
【０００１】
本発明は、ＲＦＩＤタグ発行システム及びＲＦＩＤタグ発行方法に関する。
【背景技術】
【０００２】
ＲＦＩＤ（Radio Frequency IDentification）タグは、対象となる物品に取り付けられるために、一列で一つずつ搬送されながら、ＥＰＣ（Electric Product Code）がそれぞれに書き込まれて発行される（例えば、特許文献１参照）。
【０００３】
このようにＲＦＩＤタグは、一つずつ搬送されながら、ＥＰＣが書き込まれる場合には、一個のＲＦＩＤタグの書き込み処理が完了するまでに、次のＲＦＩＤタグが書き込み開始位置に来ないように、ＲＦＩＤタグの間隔を十分開ける必要がある。この間隔が狭すぎる場合には、適切に書き込みを行うことができない。
【先行技術文献】
【特許文献】
【０００４】
【特許文献１】特開２０１５−１７６１７３号公報
【発明の概要】
【発明が解決しようとする課題】
【０００５】
このように、ＥＰＣが書き込まれる複数のＲＦＩＤタグの間隔を狭くすることができないために、単位時間当たりにＥＰＣが書き込まれるＲＦＩＤタグの個数を増やすことができず、単位時間当たりのＲＦＩＤタグの発行個数を増やすことができない。
【０００６】
本発明は、このような点に鑑みてなされたものであり、書き込みのために一つずつ搬送される複数のＲＦＩＤタグの間隔を狭くすることができるＲＦＩＤタグ発行システム及びＲＦＩＤタグ発行方法を提供することを目的とする。
【課題を解決するための手段】
【０００７】
本発明の一観点によれば、識別情報をそれぞれ保持し、一つずつ搬送される複数のＲＦＩＤタグから、前記識別情報をそれぞれ検出し、前記ＲＦＩＤタグから前記識別情報を検出した後、前記識別情報が検出された前記ＲＦＩＤタグから前記識別情報が検出されないように制御する検出装置と、前記ＲＦＩＤタグから前記識別情報が検出された発行対象タグに、物品情報をそれぞれ書き込む複数の書き込み装置と、を備え、前記検出装置は、前記識別情報を検出した順に、前記識別情報を前記書き込み装置のいずれかに通知し、前記書き込み装置は、前記検出装置から通知された前記識別情報を保持する前記発行対象タグに対して前記物品情報を書き込む、ＲＦＩＤタグ発行システムが提供される。
【０００８】
また、本発明の一観点によれば、上記ＲＦＩＤタグ発行システムで実行されるＲＦＩＤタグ発行方法が提供される。
【発明の効果】
【０００９】
開示の技術によれば、単位時間当たりのＲＦＩＤタグの発行個数を増加させることができる。
【図面の簡単な説明】
【００１０】
【図１】第１の実施の形態のＲＦＩＤタグ発行システムを説明するための図である。
【図２】第２の実施の形態のＲＦＩＤタグ発行システムの一例を示す図である。
【図３】第２の実施の形態のＴＩＤ検出装置のハードウェア構成例を示す図である。
【図４】第２の実施の形態の第１，第２ＲＦＩＤタグ発行装置のハードウェア構成例を示す図である。
【図５】第２の実施の形態のＴＩＤ検出装置により実行される機能ブロックを示す図である。
【図６】第２の実施の形態のＴＩＤ検出装置が保持するＴＩＤ通知先情報の一例を示す図である。
【図７】第２の実施の形態の第１，第２ＲＦＩＤタグ発行装置で実行される機能ブロックを示す図である。
【図８】第２の実施の形態の第１，第２ＲＦＩＤタグ発行装置が保持するＴＩＤ情報の一例を示す図である。
【図９】第２の実施の形態の第１，第２ＲＦＩＤタグ発行装置が保持するＥＰＣ情報の一例を示す図である。
【図１０】第２の実施の形態のＲＦＩＤタグ発行システムのＴＩＤ検出装置で実行されるＴＩＤ取得処理を示すフローチャートである。
【図１１】第２の実施の形態のＲＦＩＤタグ発行システムの第１，第２ＲＦＩＤタグ発行装置で実行されるＴＩＤ受信処理を示すフローチャートである。
【図１２】第２の実施の形態のＲＦＩＤタグ発行システムの第１，第２ＲＦＩＤタグ発行装置で実行されるＲＦＩＤタグ発行処理を示すフローチャートである。
【発明を実施するための形態】
【００１１】
以下、図面を参照して実施の形態について説明する。
［第１の実施の形態］
第１の実施の形態のＲＦＩＤタグ発行システムについて、図１を用いて説明する。
【００１２】
図１は、第１の実施の形態のＲＦＩＤタグ発行システムを説明するための図である。
なお、図１（Ａ），（Ｂ），（Ｃ）は、ＲＦＩＤタグ発行システム１におけるＲＦＩＤタグの搬送状態を時系列的に表わしたものである。
【００１３】
ＲＦＩＤタグ発行システム１では、検出装置２と、複数の書き込み装置３とを有する。なお、書き込み装置３は、複数の書き込み装置３ａ，３ｂ，３ｃ，・・・の総称である。
検出装置２は、識別情報をそれぞれ保持し、一つずつ搬送される複数のＲＦＩＤタグ４から、識別情報をそれぞれ検出する。なお、ＲＦＩＤタグ４は、ＲＦＩＤタグ４ａ，４ｂ，４ｃ，・・・の総称である。識別情報は、ＲＦＩＤタグ４に記録された、各ＲＦＩＤタグ４を識別するための情報である。なお、図１では、各ＲＦＩＤタグ４に記録されている識別情報を、ＩＤ１，ＩＤ２，・・・等と表している。また、図１では、検出装置２に記載されている破線で囲まれた範囲は、検出装置２から出力される電波範囲を模式的に表わしている。
【００１４】
書き込み装置３は、ＲＦＩＤタグ４から識別情報が検出された発行対象タグ５に、物品情報（図示を省略）をそれぞれ書き込む。なお、発行対象タグ５は、発行対象タグ５ａ，５ｂの総称である。また、物品情報は、ＲＦＩＤタグ４が取り付けられる物品に関する情報であって、例えば、ＥＰＣである。なお、ＥＰＣは、コード体系を識別するために定められた値であるヘッダと、ＲＦＩＤタグを貼り付ける対象物を識別するためのフィルタと、企業コードと、商品アイテムコードと、製造番号等といった情報を含む。また、図１では、書き込み装置３に記載されている破線で囲まれた範囲は、書き込み装置３から出力される電波範囲を模式的に表わしている。
【００１５】
なお、ＲＦＩＤタグ発行システム１では、ＲＦＩＤタグ４が搬送される搬送経路に対して、検出装置２と、当該検出装置２に対して搬送方向下流側に並んで複数の書き込み装置３とが配置されている。すなわち、ＲＦＩＤタグ４は、検出装置２の電波範囲を搬送された後、ＲＦＩＤタグ４から識別情報が検出された発行対象タグ５が書き込み装置３ａ，３ｂ，３ｃ，・・・の電波範囲を順に搬送される。
【００１６】
このようなＲＦＩＤタグ発行システム１で実行されるＲＦＩＤタグ発行方法について説明する。
検出装置２は、一つずつ搬送される複数のＲＦＩＤタグ４のうち、ＲＦＩＤタグ４ａから識別情報（ＩＤ１）を検出する。そして、検出装置２は、複数のＲＦＩＤタグ４のうち先頭のＲＦＩＤタグ４ａから識別情報（ＩＤ１）を検出すると、書き込み装置３のうち最左端の書き込み装置３ａに識別情報（ＩＤ１）を通知する（図１（Ａ））。
【００１７】
なお、検出装置２は、複数のＲＦＩＤタグ４のうち先頭から二つ目のＲＦＩＤタグ４ｂから識別情報（ＩＤ２）を検出すると、書き込み装置３のうち最左端から二つ目の書き込み装置３ｂに識別情報（ＩＤ２）を通知する（図１（Ｂ））。同様にして、検出装置２は、複数のＲＦＩＤタグ４のうち先頭から三つ目のＲＦＩＤタグ４ｃから識別情報（ＩＤ３）を検出すると、書き込み装置３のうち最左端から三つ目の書き込み装置３ｃに識別情報（ＩＤ３）を通知する（図１（Ｃ））。
【００１８】
このようにして、検出装置２は、識別情報を検出した順に、識別情報を書き込み装置３のいずれかに通知する。
なお、このような書き込み装置３のいずれかに対する識別情報の通知の仕方は一例であってこれに限らない。例えば、ＲＦＩＤタグ４ａの識別情報（ＩＤ１）を書き込み装置３ｃに通知し、ＲＦＩＤタグ４ｂの識別情報（ＩＤ２）を書き込み装置３ａに通知し、そして、ＲＦＩＤタグ４ｃの識別情報（ＩＤ３）を書き込み装置３ａに通知することも可能である。このように、検出装置２は、識別情報を、識別情報を検出した順に基づいて定められた順序で書き込み装置３のいずれかに通知する。
【００１９】
次いで、書き込み装置３ａは、検出装置２からＲＦＩＤタグ４ａの識別情報（ＩＤ１）が通知されている。このような書き込み装置３ａは、電波領域を搬送される、ＲＦＩＤタグ４ａから識別情報（ＩＤ１）が検出された発行対象タグ５ａに対して、当該識別情報（ＩＤ１）を保持していれば、ＥＰＣが書き込み可能となるように設定する。発行対象タグ５ａは識別情報（ＩＤ１）を保持しているために、書き込み装置３ａは、発行対象タグ５ａに対して、物品情報を書き込む（図１（Ｂ））。
【００２０】
このようにして、物品情報が書き込まれた発行対象タグ５ａが発行されると、指定された物品に取り付けられる。
なお、書き込み装置３ａの電波領域を搬送される発行対象タグ５ｂは、識別情報（ＩＤ１）ではなく、識別情報（ＩＤ２）を保持する。このため、書き込み装置３ａは、発行対象タグ５ｂに対して、ＥＰＣが書き込み可能となるような設定を行わない。このため、書き込み装置３ａは、発行対象タグ５ｂに対しては、物品情報の書き込みを行わない。
【００２１】
次いで、書き込み装置３ｂは、検出装置２からＲＦＩＤタグ４ｂの識別情報（ＩＤ２）が通知されている。このような書き込み装置３ｂは、電波領域を搬送される、ＲＦＩＤタグ４ｂから識別情報（ＩＤ２）が検出された発行対象タグ５ｂに対して、当該識別情報（ＩＤ２）を保持していれば、ＥＰＣが書き込み可能となるように設定する。発行対象タグ５ｂは識別情報（ＩＤ２）を保持しているために、書き込み装置３ｂは、発行対象タグ５ｂに対して、物品情報を書き込む（図１（Ｃ））。
【００２２】
このようにして、物品情報が書き込まれた発行対象タグ５ｂが発行されると、指定された物品に取り付けられる。
このように上記ＲＦＩＤタグ発行システム１は、識別情報をそれぞれ保持し、一つずつ搬送される複数のＲＦＩＤタグ４から、識別情報をそれぞれ検出する検出装置２と、ＲＦＩＤタグ４から識別情報が検出された発行対象タグ５に、物品情報をそれぞれ書き込む複数の書き込み装置３と、を備える。このような検出装置２は、識別情報を検出した順に、識別情報を書き込み装置３のいずれかに通知し、書き込み装置３は、検出装置２から通知された識別情報を保持する発行対象タグ５に対して物品情報を書き込む。
【００２３】
これにより、一つずつ搬送される複数のＲＦＩＤタグ４の間隔を狭めることが可能となり、単位時間当たりに物品情報を書き込むことができるＲＦＩＤタグ４の個数を増加することができる。したがって、単位時間当たりのＲＦＩＤタグ４の発行個数を増加することができるようになる。
【００２４】
［第２の実施の形態］
第２の実施の形態では、第１の実施の形態をより具体的に説明する。
まず、第２の実施の形態のＲＦＩＤタグ発行システムについて、図２を用いて説明する。
【００２５】
図２は、第２の実施の形態のＲＦＩＤタグ発行システムの一例を示す図である。
ＲＦＩＤタグ発行システム１００は、物品に付されるＲＦＩＤタグにＥＰＣを書き込んで、ＲＦＩＤタグを発行するためのものであり、複数のＲＦＩＤタグが一つずつ一列に搬送される。なお、ＲＦＩＤタグの搬送速度は、０．０５ｃｍ／ｍｓである。このようなＲＦＩＤタグ発行システム１００は、ＴＩＤ（Tag IDentification）検出用アンテナ２４０が接続されたＴＩＤ検出装置２００と、ＲＦＩＤタグが搬送される搬送経路の下流側に第１，第２ＲＦＩＤタグ発行用アンテナ３４０，４４０が接続された第１，第２ＲＦＩＤタグ発行装置３００，４００とを有する。そして、ＴＩＤ検出装置２００と、第１，第２ＲＦＩＤタグ発行装置３００，４００とが、例えば、ＬＡＮ（Local Area Network）を介して通信可能に接続されている。すなわち、ＲＦＩＤタグは、ＴＩＤ検出用アンテナ２４０の電波領域を搬送されると、第１ＲＦＩＤタグ発行用アンテナ３４０の電波領域と、第２ＲＦＩＤタグ発行用アンテナ４４０の電波領域とを続けて搬送される。
【００２６】
ＴＩＤ検出装置２００は、ＴＩＤ検出用アンテナ２４０を介して電波を出力し、当該電波領域内を搬送されるＲＦＩＤタグから、ＴＩＤを検出する。ＴＩＤ検出装置２００は、電波領域を搬送される奇数番目のＲＦＩＤタグから検出したＴＩＤは、ＬＡＮ５００を経由して、第１ＲＦＩＤタグ発行装置３００に通知する。ＴＩＤ検出装置２００は、電波領域を搬送される偶数番目のＲＦＩＤタグから検出したＴＩＤは、ＬＡＮ５００を経由して、第２ＲＦＩＤタグ発行装置４００に通知する。なお、図２では、ＴＩＤ検出用アンテナ２４０から発生される電波領域を破線で表している。また、ＴＩＤ検出用アンテナ２４０は、２０ｃｍ角円偏波アンテナであり、電波出力は２０ｄＢｍ（ＥＩＲＰ）、電波範囲は３０ｃｍである。
【００２７】
第１，第２ＲＦＩＤタグ発行装置３００，４００は、第１，第２ＲＦＩＤタグ発行用アンテナ３４０，４４０を介して電波を出力し、当該電波領域内を搬送されるＲＦＩＤタグと通信を行う。なお、図２では、第１，第２ＲＦＩＤタグ発行用アンテナ３４０，４４０から発生される電波領域を破線で表している。また、第１，第２ＲＦＩＤタグ発行用アンテナ３４０，４４０は、２０ｃｍ角円偏波アンテナであり、電波出力は２０ｄＢｍ（ＥＩＲＰ）、電波範囲は３０ｃｍである。
【００２８】
第１，第２ＲＦＩＤタグ発行装置３００，４００は、ＲＦＩＤタグと通信を行って、ＴＩＤ検出装置２００から通知されたＴＩＤを保持するＲＦＩＤタグに、ＥＰＣを書き込む。具体的には、第１，第２ＲＦＩＤタグ発行装置３００，４００は、ＴＩＤ検出装置２００から通知されたＴＩＤを対象としたセレクトコマンドを、電波領域内を搬送されるＲＦＩＤタグに送信する。ＲＦＩＤタグは、当該ＴＩＤを保持する場合にのみ、セレクトコマンドにより選択される。続けて、第１，第２ＲＦＩＤタグ発行装置３００，４００は、ＥＰＣをＲＦＩＤタグに書き込む。この際、ＲＦＩＤタグは、セレクトコマンドにより選択されている場合には、当該ＥＰＣが書き込まれて、正常に書き込まれたことを第１，第２ＲＦＩＤタグ発行装置３００，４００に送信する。一方、ＲＦＩＤタグは、セレクトコマンドにより選択されていない場合には、当該ＥＰＣが書き込まれない。このようにして、第１，第２ＲＦＩＤタグ発行装置３００，４００は、対象とするＴＩＤを保持するＲＦＩＤタグのみに適切にＥＰＣを書き込むことができるようになる。
【００２９】
なお、このような第１，第２ＲＦＩＤタグ発行装置３００，４００は、ＲＦＩＤタグが搬送される搬送経路に沿って、エラーと認定されたＲＦＩＤタグを除去する除去ユニット（図２では図示を省略）を備える。
【００３０】
次に、ＲＦＩＤタグ発行システム１００の各構成の詳細について説明する。
まず、ＴＩＤ検出装置２００のハードウェア構成について、図３を用いて説明する。
図３は、第２の実施の形態のＴＩＤ検出装置のハードウェア構成例を示す図である。
【００３１】
ＴＩＤ検出装置２００は、制御ユニット２１０と、表示ユニット２２０と、ＴＩＤ検出用アンテナ２４０と接続されているリーダライタユニット２３０とを有する。
制御ユニット２１０は、ＴＩＤ検出装置２００全体を制御するものである。このような制御ユニット２１０は、ＣＰＵ（Central Processing Unit）２１１と、ＲＡＭ（Random Access Memory）２１２と、ＨＤＤ（Hard Disk Drive）２１３と、グラフィック処理部２１４と、通信制御部２１５と、入出力インタフェース２１６とがバス２１７を介して通信可能に接続されている。
【００３２】
ＣＰＵ２１１は、ＲＡＭ２１２及びＨＤＤ２１３といった記録媒体に記憶された各種プログラムを実行することにより、ＴＩＤ検出装置２００全体を統括的に制御する。
ＲＡＭ２１２は、ＣＰＵ２１１によって実行させるＯＳ（Operation System）のプログラムやアプリケーションプログラムの少なくとも一部を一時的に格納する。また、ＲＡＭ２１２は、ＣＰＵ２１１による処理に必要な各種データを格納する。
【００３３】
ＨＤＤ２１３は、ＯＳやアプリケーションプログラムを格納する。
グラフィック処理部２１４は、表示ユニット２２０のディスプレイ２２１が接続されている。グラフィック処理部２１４は、ＣＰＵ２１１の制御の下に、各種の情報をディスプレイ２２１の画面に表示させる。
【００３４】
通信制御部２１５は、ＬＡＮ５００（図２）に接続され、例えば、第１，第２ＲＦＩＤタグ発行装置３００，４００の間でデータ（各種の情報、電文、通知等）の送受信を行う。
【００３５】
なお、ＣＰＵ２１１によって実行されるＯＳのプログラムやアプリケーションプログラムは、図示しない外部装置から、通信制御部２１５を介して、例えばＲＡＭ２１２に格納されて、ＣＰＵ２１１によって実行されてもよい。
【００３６】
入出力インタフェース２１６には、表示ユニット２２０のタッチパネル２２２と、リーダライタユニット２３０とが接続されている。
リーダライタユニット２３０は、制御ユニット２１０からの制御信号に応じて、ＴＩＤ検出用アンテナ２４０から電波を出力して、当該電波領域内のＲＦＩＤタグと通信を行って、ＲＦＩＤタグからＴＩＤを検出する。リーダライタユニット２３０は、ＲＦＩＤタグから検出したＴＩＤを制御ユニット２１０に送信して、ＲＡＭ２１２、ＨＤＤ２１３に保持させる。
【００３７】
なお、ＴＩＤ検出装置２００において、制御ユニット２１０は、例えば、ＦＰＧＡ（Field Programmable Gate Array）やＤＳＰ（Digital Signal Processor）等のモジュールを含む構成とすることもできる。この場合、制御ユニット２１０は、不揮発性メモリ（例えば、ＥＥＰＲＯＭ（Electrically Erasable and Programmable Read Only Memory）、フラッシュメモリ、フラッシュメモリ型メモリカード等）を含み、モジュールのファームウェアを記憶する。不揮発性メモリには、通信制御部２１５を介してファームウェアを書き込むことができる。このように制御ユニット２１０は、不揮発性メモリに記憶されているファームウェアを書き換えることにより、ファームウェアの更新をすることもできる。
【００３８】
次いで、第１，第２ＲＦＩＤタグ発行装置３００，４００のハードウェア構成について、図４を用いて説明する。
図４は、第２の実施の形態の第１，第２ＲＦＩＤタグ発行装置のハードウェア構成例を示す図である。
【００３９】
なお、図４では、第１，第２ＲＦＩＤタグ発行装置３００，４００のハードウェア構成について併記している。
第１，第２ＲＦＩＤタグ発行装置３００，４００は、制御ユニット３１０，４１０と、表示ユニット３２０，４２０と、第１，第２ＲＦＩＤタグ発行用アンテナ３４０，４４０と接続されているリーダライタユニット３３０，４３０とを有する。
【００４０】
なお、第１，第２ＲＦＩＤタグ発行装置３００，４００は、ＴＩＤ検出装置２００と同様のハードウェア構成を有しているために、各構成の詳細な説明については省略する。
但し、リーダライタユニット３３０，４３０は、制御ユニット３１０，４１０からの制御信号に応じて、第１，第２ＲＦＩＤタグ発行用アンテナ３４０，４４０から電波を出力させて、当該電波領域内のＲＦＩＤタグと通信を行って、ＲＦＩＤタグにＥＰＣを書き込む。
【００４１】
また、除去ユニット３５０，４５０は、制御ユニット３１０，４１０からの制御信号に応じて、ＥＰＣの書き込み等でエラーとなったＲＦＩＤタグを、ＲＦＩＤタグの搬送経路から除去する。
【００４２】
次に、ＴＩＤ検出装置２００が備える機能とＴＩＤ通知先情報とについて、図５及び図６を用いて説明する。
図５は、第２の実施の形態のＴＩＤ検出装置により実行される機能ブロックを示す図である。
【００４３】
図６は、第２の実施の形態のＴＩＤ検出装置が保持するＴＩＤ通知先情報の一例を示す図である。
ＴＩＤ検出装置２００は、その制御ユニット２１０には、ＴＩＤ通知先情報保持部２０１と、通信処理部２０２と、ＴＩＤ通信処理部２０３と、ＴＩＤ検出制御部２０４との機能が備えられている。
【００４４】
ＴＩＤ通知先情報保持部２０１は、ＲＦＩＤタグから検出したＴＩＤの通知先の通知先情報を保持する。通知先情報は、第２の実施の形態であれば、ＴＩＤが通知される第１，第２ＲＦＩＤタグ発行装置３００，４００の、例えば、図６に示されるように、ＩＰ（Internet Protocol）アドレスである。ＴＩＤ通知先情報保持部２０１は、このような通知先情報を保持する。
【００４５】
通信処理部２０２は、ＴＩＤ検出制御部２０４からの制御に基づき、第１，第２ＲＦＩＤタグ発行装置３００，４００に対して、ＴＩＤ通知先情報保持部２０１が保持する通知先情報に基づき、検出したＴＩＤを通知する。
【００４６】
ＴＩＤ通信処理部２０３は、ＴＩＤ検出制御部２０４からの制御に基づき、リーダライタユニット２３０にＴＩＤ検出用アンテナ２４０から電波を出力させて、搬送されるＲＦＩＤタグからＴＩＤを検出させる。なお、ＲＦＩＤタグからのＴＩＤの検出方法の詳細については後述する。
【００４７】
ＴＩＤ検出制御部２０４は、ＴＩＤ通信処理部２０３にＲＦＩＤタグからＴＩＤを検出させる。そして、ＴＩＤ検出制御部２０４は、ＴＩＤ通知先情報保持部２０１を参照して、搬送されるＲＦＩＤタグのうち奇数番目のＲＦＩＤタグから検知したＴＩＤを、第１ＲＦＩＤタグ発行装置３００に通信処理部２０２から通知させる。また、ＴＩＤ検出制御部２０４は、ＴＩＤ通知先情報保持部２０１を参照して、搬送されるＲＦＩＤタグのうち偶数番目のＲＦＩＤタグから検知したＴＩＤを、第２ＲＦＩＤタグ発行装置４００に通信処理部２０２から通知させる。
【００４８】
次に、第１，第２ＲＦＩＤタグ発行装置３００，４００が備える機能とＴＩＤ情報とＥＰＣ情報とについて、図７、図８及び図９を用いて説明する。
図７は、第２の実施の形態の第１，第２ＲＦＩＤタグ発行装置で実行される機能ブロックを示す図である。
【００４９】
図８は、第２の実施の形態の第１，第２ＲＦＩＤタグ発行装置が保持するＴＩＤ情報の一例を示す図である。
図９は、第２の実施の形態の第１，第２ＲＦＩＤタグ発行装置が保持するＥＰＣ情報の一例を示す図である。
【００５０】
第１，第２ＲＦＩＤタグ発行装置３００，４００は、その制御ユニット３１０，４１０に、ＴＩＤ情報保持部３０１，４０１と、ＥＰＣ情報保持部３０２，４０２との機能が備えられている。さらに、制御ユニット３１０，４１０には、通信処理部３０３，４０３と、時刻検出処理部３０４，４０４と、ＥＰＣ通信処理部３０５，４０５と、ＲＦＩＤタグ発行制御部３０６，４０６との機能が備えられている。
【００５１】
ＴＩＤ情報保持部３０１は、第１ＲＦＩＤタグ発行装置３００に保持されており、ＴＩＤ検出装置２００から通知されたＴＩＤ検出用アンテナ２４０の電波領域を搬送される奇数番目のＲＦＩＤタグが保持するＴＩＤに関する情報である。ＴＩＤ情報保持部３０１は、例えば、図８（Ａ）に示されるように、奇数番目のＲＦＩＤタグのＴＩＤ（ＴＩＤ１，ＴＩＤ３，ＴＩＤ５，・・・）と当該ＴＩＤを受信した受信時刻（ｔ１，ｔ３，ｔ５，・・・）とを保持する。ＴＩＤ情報保持部３０１は、ＴＩＤ検出装置２００から通知された順にＴＩＤと受信時刻との情報を保持する。
【００５２】
ＴＩＤ情報保持部４０１は、第２ＲＦＩＤタグ発行装置４００に保持されており、ＴＩＤ検出装置２００から通知されたＴＩＤ検出用アンテナ２４０の電波領域を搬送される偶数番目のＲＦＩＤタグが保持するＴＩＤに関する情報である。ＴＩＤ情報保持部４０１は、例えば、図８（Ｂ）に示されるように、偶数番目のＲＦＩＤタグのＴＩＤ（ＴＩＤ２，ＴＩＤ４，ＴＩＤ６，・・・）と当該ＴＩＤを受信した受信時刻（ｔ２，ｔ４，ｔ６，・・・）とを保持する。ＴＩＤ情報保持部４０１は、ＴＩＤ検出装置２００から通知された順にＴＩＤと受信時刻との情報を保持する。
【００５３】
ＥＰＣ情報保持部３０２は、第１ＲＦＩＤタグ発行装置３００に保持されており、奇数番目のＲＦＩＤタグにそれぞれ書き込まれるＥＰＣの情報をあらかじめ保持している。ＥＰＣ情報保持部３０２は、例えば、図９（Ａ）に示されるように、奇数番目のＲＦＩＤタグに対して、ＥＰＣ（ＥＰＣ１，ＥＰＣ３，ＥＰＣ５，・・・）を保持する。
【００５４】
ＥＰＣ情報保持部４０２は、第２ＲＦＩＤタグ発行装置４００で保持されており、偶数番目のＲＦＩＤタグにそれぞれ書き込まれるＥＰＣの情報をあらかじめ保持している。ＥＰＣ情報保持部４０２は、例えば、図９（Ｂ）に示されるように、偶数番目のＲＦＩＤタグに対して、ＥＰＣ（ＥＰＣ２，ＥＰＣ４，ＥＰＣ６，・・・）を保持する。
【００５５】
通信処理部３０３，４０３は、ＴＩＤ検出装置２００と通信を行って、ＴＩＤ検出装置２００で検出されたＲＦＩＤタグのＴＩＤ情報を受信する。なお、通信処理部３０３は、第１ＲＦＩＤタグ発行装置３００に保持されており、ＴＩＤ検出装置２００から奇数番目のＲＦＩＤタグのＴＩＤ情報を受信する。通信処理部４０３は、第２ＲＦＩＤタグ発行装置４００に保持されており、ＴＩＤ検出装置２００から奇数番目のＲＦＩＤタグのＴＩＤ情報を受信する。
【００５６】
時刻検出処理部３０４，４０４は、通信処理部３０３，４０３がＴＩＤ検出装置２００からＴＩＤを受信した時刻を検出する。
ＥＰＣ通信処理部３０５，４０５は、ＲＦＩＤタグ発行制御部３０６，４０６からの制御に基づき、リーダライタユニット３３０，４３０に第１，第２ＲＦＩＤタグ発行用アンテナ３４０，４４０から電波を出力させて、搬送されるＲＦＩＤタグにＥＰＣを書き込ませる。なお、ＥＰＣの書き込みの詳細については後述する。
【００５７】
ＲＦＩＤタグ発行制御部３０６，４０６は、通信処理部３０３，４０３で受信したＴＩＤ検出装置２００からのＴＩＤを、時刻検出処理部３０４，４０４で検出した受信時刻と共に、ＴＩＤ情報保持部３０１，４０１に保持させる。また、ＲＦＩＤタグ発行制御部３０６，４０６は、ＴＩＤ情報保持部３０１，４０１を参照して、最も古く受信したＴＩＤを選択すると共に、ＥＰＣ情報保持部３０２，４０２を参照する。そして、ＲＦＩＤタグ発行制御部３０６，４０６は、ＥＰＣ通信処理部３０５，４０５を制御して、リーダライタユニット３３０，４３０から第１，第２ＲＦＩＤタグ発行用アンテナ３４０，４４０を介して、選択したＴＩＤを保持するＲＦＩＤタグと通信を行う。ＲＦＩＤタグ発行制御部３０６，４０６は、このような通信により、当該ＲＦＩＤタグにＥＰＣを書き込ませる。
【００５８】
ＲＦＩＤタグ発行システム１００を構成するＴＩＤ検出装置２００と、第１，第２ＲＦＩＤタグ発行装置３００，４００とは上記構成を有する。
次に、ＲＦＩＤタグ発行システム１００で実行される処理について説明する。
【００５９】
まず、ＴＩＤ検出装置２００で実行される、搬送されるＲＦＩＤタグからＴＩＤを検出するＴＩＤ検出処理について図１０を用いて説明する。
図１０は、第２の実施の形態のＲＦＩＤタグ発行システムのＴＩＤ検出装置で実行されるＴＩＤ取得処理を示すフローチャートである。
【００６０】
なお、複数のＲＦＩＤタグは、事前に、ＴＩＤがそれぞれ記録されており、インベントリフラグＳ２はＡが設定されている。
このような複数のＲＦＩＤタグが一列となって一つずつ搬送されて、ＴＩＤ検出用アンテナ２４０からの電波範囲内のＲＦＩＤタグに対して、ＴＩＤ検出装置２００（ＴＩＤ検出制御部２０４）にて以下の処理が実行される。
【００６１】
［ステップＳ１１］  ＴＩＤ検出制御部２０４は、ＲＦＩＤタグのカウンタをクリアする。この際、クリアすることで、ＲＦＩＤタグのカウンタには１がセットされる。
なお、ＲＦＩＤタグのカウンタとは、ＲＦＩＤタグが、ＴＩＤ検出用アンテナ２４０を搬送されるごとにカウントされるものである。
【００６２】
［ステップＳ１２］  ＴＩＤ検出制御部２０４は、ＴＩＤ通信処理部２０３を制御して、リーダライタユニット２３０から、ＴＩＤを含むＲＦＩＤタグを選択させるセレクトコマンドを、ＴＩＤ検出用アンテナ２４０を介して送信する。
【００６３】
［ステップＳ１３］  ＴＩＤ検出制御部２０４は、ＴＩＤ通信処理部２０３を制御して、リーダライタユニット２３０により、インベントリフラグＳ２がＡのＲＦＩＤタグに対するアンチコリジョンを実施させる。
【００６４】
なお、この際のアンチコリジョンを実施する時間は、４２ｍｓ程度である。
［ステップＳ１４］  ＴＩＤ検出制御部２０４は、ＴＩＤ通信処理部２０３がステップＳ１３の処理により、ＲＦＩＤタグを検出したか否かを判定する。
【００６５】
次の処理は、ＴＩＤ検出制御部２０４が、ＲＦＩＤタグを検出した場合には、ステップＳ１５の処理が実行され、ＲＦＩＤタグを検出しない場合には、再び、ステップＳ１２の処理が実行される。
【００６６】
［ステップＳ１５］  ＴＩＤ検出制御部２０４は、ステップＳ１４で検出したＲＦＩＤタグの個数が１個であるか否かを判定する。
次の処理は、ＴＩＤ検出制御部２０４が、ＲＦＩＤタグを１個検出した場合には、ステップＳ１６の処理が実行され、ＲＦＩＤタグを複数検出した場合には、終了する。
【００６７】
［ステップＳ１６］  ＴＩＤ検出制御部２０４は、ＴＩＤ通信処理部２０３から、ステップＳ１５で検出したＲＦＩＤタグに含まれるＴＩＤを取得する。
なお、この際のＴＩＤを取得するために要する時間は、１５ｍｓ程度である。
【００６８】
［ステップＳ１７］  ＴＩＤ検出制御部２０４は、ＴＩＤ通信処理部２０３を制御して、リーダライタユニット２３０により、ステップＳ１６で検出したＲＦＩＤタグのインベントリフラグＳ２をＢに変更する。
【００６９】
これにより、当該ＲＦＩＤタグに隣接するＲＦＩＤタグに対してＴＩＤ検出用アンテナ２４０により通信を行う場合に、当該ＲＦＩＤタグからＴＩＤの再取得が防止されるようになる。なお、インベントリフラグＳ２のＢは、一定時間経過後は、元のＡに戻る。
【００７０】
［ステップＳ１８］  ＴＩＤ検出制御部２０４は、ＲＦＩＤタグのカウンタが奇数か否かを判定する。
次の処理は、ＴＩＤ検出制御部２０４は、ＲＦＩＤタグのカウンタが奇数である場合には、ステップＳ１９の処理が実行され、ＲＦＩＤタグのカウンタが偶数である場合には、ステップＳ２０の処理が実行される。
【００７１】
［ステップＳ１９］  ＴＩＤ検出制御部２０４は、ＴＩＤ通知先情報保持部２０１を参照して、通信処理部２０２により、ステップＳ１６で取得したＴＩＤを、第１ＲＦＩＤタグ発行装置３００に通知させる。
【００７２】
［ステップＳ２０］  ＴＩＤ検出制御部２０４は、ＴＩＤ通知先情報保持部２０１を参照して、通信処理部２０２により、ステップＳ１６で取得したＴＩＤを、第２ＲＦＩＤタグ発行装置４００に通知させる。
【００７３】
［ステップＳ２１］  ＴＩＤ検出制御部２０４は、ＲＦＩＤタグのカウンタに１を追加する。
この後、再び、ステップＳ１２の処理が実行されて、ＴＩＤ検出用アンテナ２４０からの電波範囲内を搬送されるＲＦＩＤタグに対して、上記のＴＩＤ検出処理が繰り返し実行される。
【００７４】
次に、第１，第２ＲＦＩＤタグ発行装置３００，４００におけるＴＩＤ検出装置２００からＴＩＤを受信するＴＩＤ受信処理について、図１１を用いて説明する。
図１１は、第２の実施の形態のＲＦＩＤタグ発行システムの第１，第２ＲＦＩＤタグ発行装置で実行されるＴＩＤ受信処理を示すフローチャートである。
【００７５】
［ステップＳ３１］  ＲＦＩＤタグ発行制御部３０６，４０６は、通信処理部３０３，４０３がＴＩＤ検出装置２００からＴＩＤを受信したか否かを判定する。
次の処理は、ＲＦＩＤタグ発行制御部３０６，４０６が、通信処理部３０３，４０３によるＴＩＤの受信を判定すると、ステップＳ３２の処理を実行する。
【００７６】
［ステップＳ３２］  ＲＦＩＤタグ発行制御部３０６，４０６は、ステップＳ３１でＴＩＤを受信した際の時刻を、時刻検出処理部３０４，４０４から取得する。
［ステップＳ３３］  ＲＦＩＤタグ発行制御部３０６，４０６は、ステップＳ３１で受信したＴＩＤと、ステップＳ３２で取得した当該ＴＩＤの受信時刻とを、ＴＩＤ情報保持部３０１，４０１に保持させる。
【００７７】
この後、再び、ステップＳ３１の処理が実行されて、上記のＴＩＤ受信処理が繰り返し実行される。これにより、ＴＩＤ検出装置２００からＴＩＤを受信されるごとに、ＴＩＤ情報保持部３０１，４０１にＴＩＤと当該ＴＩＤの受信時刻とを含むＴＩＤ情報が順に蓄積される。
【００７８】
次に、第１，第２ＲＦＩＤタグ発行装置３００，４００でＲＦＩＤタグにＥＰＣを書き込んでＲＦＩＤタグを発行するＲＦＩＤタグ発行処理について、図１２を用いて説明する。
【００７９】
図１２は、第２の実施の形態のＲＦＩＤタグ発行システムの第１，第２ＲＦＩＤタグ発行装置で実行されるＲＦＩＤタグ発行処理を示すフローチャートである。
第１，第２ＲＦＩＤタグ発行装置３００，４００は、第１，第２ＲＦＩＤタグ発行用アンテナ３４０，４４０からの電波範囲内を搬送される、ＴＩＤ検出装置２００でＴＩＤが検出されたＲＦＩＤタグに対して、以下の処理を行って、ＥＰＣを書き込んで、発行する。
【００８０】
［ステップＳ４１］  ＲＦＩＤタグ発行制御部３０６，４０６は、ＴＩＤ情報保持部３０１，４０１を参照して、ＴＩＤ情報の存在の有無を判定する。
次の処理は、ＲＦＩＤタグ発行制御部３０６，４０６が、ＴＩＤ情報が存在することを判定すると、ステップＳ４２の処理が実行され、ＴＩＤ情報が存在しないことを判定すると、再び、ステップＳ４１の処理が実行される。
【００８１】
［ステップＳ４２］  ＲＦＩＤタグ発行制御部３０６，４０６は、ＥＰＣ通信処理部３０５，４０５を制御して、リーダライタユニット３３０，４３０により、第１，第２ＲＦＩＤタグ発行用アンテナ３４０，４４０の電波領域を搬送されるＲＦＩＤタグに通信を行う。これにより、ＲＦＩＤタグ発行制御部３０６，４０６は、ＴＩＤ情報保持部３０１，４０１が保持する最も古いＴＩＤを有するＲＦＩＤタグを選択する。
【００８２】
また、ＲＦＩＤタグ発行制御部３０６，４０６は、ＴＩＤ情報保持部３０１，４０１が保持する最も古いＴＩＤの受信時刻を取得する。
［ステップＳ４３］  ＲＦＩＤタグ発行制御部３０６，４０６は、ＴＩＤ情報保持部３０１，４０１から、ステップＳ４２で選択したＲＦＩＤタグが保持するＴＩＤと、当該ＴＩＤの受信時刻とを削除する。
【００８３】
［ステップＳ４４］  ＲＦＩＤタグ発行制御部３０６，４０６は、アンチコリジョンを実施する。
なお、この際のアンチコリジョンの実施時間は、３１ｍｓ程度である。
【００８４】
［ステップＳ４５］  ＲＦＩＤタグ発行制御部３０６，４０６は、ステップＳ４２で取得したＴＩＤの受信時刻と、現在時刻とに基づき、ＴＩＤの受信後、所定の時間が経過したか否かを判定する。
【００８５】
次の処理は、ＲＦＩＤタグ発行制御部３０６，４０６が、ＴＩＤの受信後、所定の時間が経過していないことを判定すると、ステップＳ４６の処理が実行され、ＴＩＤの受信後、所定の時間が経過したことを判定すると、再び、ステップＳ４１の処理が実行される。
【００８６】
［ステップＳ４６］  ＲＦＩＤタグ発行制御部３０６，４０６は、ＥＰＣ通信処理部３０５，４０５がステップＳ４４の処理により、ＲＦＩＤタグを検出したか否かを判定する。
【００８７】
次の処理は、ＲＦＩＤタグ発行制御部３０６，４０６が、ＲＦＩＤタグを検出した場合には、ステップＳ４７の処理が実行され、ＲＦＩＤタグを検出していない場合には、再び、ステップＳ４４の処理が実行される。
【００８８】
［ステップＳ４７］  ＲＦＩＤタグ発行制御部３０６，４０６は、ステップＳ４６で検出したＲＦＩＤタグの個数が１個であるか否かを判定する。
次の処理は、ＲＦＩＤタグ発行制御部３０６，４０６が、ＲＦＩＤタグを１個検出した場合には、ステップＳ４８の処理が実行され、ＲＦＩＤタグを複数検出した場合には、再び、ステップＳ４４の処理が実行される。
【００８９】
［ステップＳ４８］  ＲＦＩＤタグ発行制御部３０６，４０６は、ＥＰＣ通信処理部３０５，４０５を制御して、リーダライタユニット３３０，４３０により、ステップＳ４７で検出したＲＦＩＤタグにＥＰＣを書き込んで、書き込みロックを行う書き込み処理を実行する。
【００９０】
なお、この際のＲＦＩＤタグへのＥＰＣの書き込み処理に要する時間は、２００ｍｓ程度である。
そして、ＲＦＩＤタグ発行制御部３０６，４０６は、ＥＰＣにおける書き込み処理が実行されたＲＦＩＤタグを発行する。
【００９１】
［ステップＳ４９］  ＲＦＩＤタグ発行制御部３０６，４０６は、ステップＳ４８でＲＦＩＤタグが正常に発行されたか否かを判定する。
次の処理は、ＲＦＩＤタグ発行制御部３０６，４０６が、ステップＳ４８でＲＦＩＤタグが正常に発行されたことを判定すると、再び、ステップＳ４１の処理が実行され、ステップＳ４８でＲＦＩＤタグが正常に発行されなかったことを判定すると、ステップＳ５０の処理が実行される。
【００９２】
［ステップＳ５０］  ＲＦＩＤタグ発行制御部３０６，４０６は、正常に発行されなかったＲＦＩＤタグを発行エラーと識別して、除去ユニット３５０，４５０を制御して、発行エラーのＲＦＩＤタグを除去する。
【００９３】
この後、再び、ステップＳ４１の処理が実行されて、上記のＲＦＩＤタグ発行処理が繰り返し実行される。
ここで、第２の実施の形態の場合における単位時間当たりに発行することができるＲＦＩＤタグの個数について説明する。
【００９４】
既述の通り、ＴＩＤ検出用アンテナ２４０と、第１，第２ＲＦＩＤタグ発行用アンテナ３４０，４４０とは、共に、２０ｃｍ角円偏波アンテナであって、電波出力が２０ｄＢｍ（ＥＩＲＰ）、電波範囲が３０ｃｍであった。また、ＲＦＩＤタグの搬送速度は、０．０５ｃｍ／ｍｓであり、ＴＩＤ検出装置２００におけるアンチコリジョンの実施に要する時間は４２ｍｓ、ＴＩＤの取得に要する時間は１５ｍｓであった。また、第１，第２ＲＦＩＤタグ発行装置３００，４００におけるアンチコリジョンの実施に要する時間は３１ｍｓ、ＲＦＩＤタグに対するＥＰＣの書き込み処理に要する時間は２００ｍｓであった。
【００９５】
このことからＴＩＤ検出装置２００によるＴＩＤの検出に要する全ての時間は５７ｍｓ（＝４２ｍｓ＋１５ｍｓ）であることから、ＴＩＤの検出可能な最短のＲＦＩＤタグ間隔は、２．８５ｃｍ（＝０．０５ｃｍ／ｍｓ＊５７ｍｓ）である。
【００９６】
さらに、第１，第２ＲＦＩＤタグ発行装置３００，４００のＲＦＩＤタグに対するＥＰＣの書き込み処理に要する全ての時間は２３１ｍｓ（＝３１ｍｓ＋２００ｍｓ）であることから、ＥＰＣの書き込み可能な最短のＲＦＩＤタグ間隔は、５．７８ｃｍ（＝０．０５ｃｍ／ｍｓ＊２３１ｍｓ＊（１／２））である。なお、ＲＦＩＤタグの書き込みは２つの第１，第２ＲＦＩＤタグ発行装置３００，４００により実施され、１個飛ばしで処理可能であるために、１／２を掛けている。
【００９７】
これらのＲＦＩＤタグの間隔のうち、ＴＩＤの検出も、ＥＰＣの書き込みも可能なＲＦＩＤタグの間隔は、５．７８ｃｍである。
したがって、第２の実施の形態の単位時間当たりに発行することができるＲＦＩＤタグの個数は、８．６５個／秒（＝０．０５ｃｍ／ｍｓ＊（１／５．７８ｃｍ））である。
【００９８】
一方、比較例として、一列に一つずつ搬送される複数のＲＦＩＤタグに対して、１つのリーダライタユニット（及びそれに接続されたアンテナ）によりＴＩＤの検出、ＥＰＣの書き込みを行った場合における、単位時間当たりに発行することができるＲＦＩＤタグの個数について説明する。
【００９９】
なお、この比較例のアンテナの条件、ＲＦＩＤタグの搬送速度は、第２の実施の形態と同様である。
このような比較例における、ＲＦＩＤタグに対するＴＩＤの検出のためのアンチコリジョンの実施に要する時間は、２７ｍｓである。
【０１００】
また、ＲＦＩＤタグに対するＥＰＣの書き込み処理に要する時間は２００ｍｓであった。
このことから、１つのＲＦＩＤタグを発行するまでに要する時間は、２２７ｍｓ（２７ｍｓ＋２００ｍｓ）であり、ＲＦＩＤタグを発行可能な最短のＲＦＩＤタグの間隔は、１１．３５ｃｍ（０．０５ｃｍ／ｍｓ＊２２７ｍｓ）である。
【０１０１】
したがって、この比較例の単位時間当たりに発行することができるＲＦＩＤタグの個数は、４．４１個／秒（＝０．０５ｃｍ／ｍｓ＊（１／１１．３５ｃｍ））である。
このように第２の実施の形態では、一つのリーダライタユニットによりＲＦＩＤタグに対してＴＩＤを検出して、ＥＰＣを書き込む場合に比べて、単位当たりのＲＦＩＤタグの発行個数が約２倍になったことが分かる。
【０１０２】
このように上記ＲＦＩＤタグ発行システム１００は、ＴＩＤをそれぞれ保持し、一つずつ搬送される複数のＲＦＩＤタグから、ＴＩＤをそれぞれ検出するＴＩＤ検出装置２００と、ＲＦＩＤタグからＴＩＤが検出されたＲＦＩＤタグに、ＥＰＣをそれぞれ書き込む複数のＲＦＩＤタグ発行装置３００，４００と、を備える。このようなＴＩＤ検出装置２００は、ＴＩＤを検出した順に、ＴＩＤをＲＦＩＤタグ発行装置３００，４００のいずれかに通知し、ＲＦＩＤタグ発行装置３００，４００は、ＴＩＤ検出装置２００から通知されたＴＩＤを保持するＲＦＩＤタグに対してＥＰＣを書き込む。
【０１０３】
これにより、一つずつ搬送されるＲＦＩＤタグの間隔を狭めることが可能となり、単位時間当たりにＥＰＣを書き込むことができるＲＦＩＤタグの個数を増加することができる。したがって、単位時間当たりのＲＦＩＤタグの発行数を増加することができるようになる。
【０１０４】
上記の処理機能は、コンピュータによって実現することができる。その場合、コンピュータが有すべき機能の処理内容を記述したプログラムが提供される。そのプログラムをコンピュータで実行することにより、上記処理機能がコンピュータ上で実現される。
【０１０５】
処理内容を記述したプログラムは、コンピュータで読み取り可能な記録媒体に記録しておくことができる。コンピュータで読み取り可能な記録媒体には、磁気記憶装置、光ディスク、光磁気記憶媒体、半導体メモリ等がある。磁気記憶装置には、ＨＤＤ、フレキシブルディスク（ＦＤ）、磁気テープ（ＭＴ）等がある。光ディスクには、ＤＶＤ（Digital Versatile Disc）、ＤＶＤ−ＲＡＭ、ＣＤ（Compact Disc）−ＲＯＭ、ＣＤ−Ｒ（Recordable）／ＲＷ（ReWritable）等がある。光磁気記憶媒体には、ＭＯ（Magneto - Optical disk）等がある。半導体メモリには、ＵＳＢ（Universal Serial Bus）メモリ等のフラッシュメモリがある。
【０１０６】
上記プログラムを流通させる場合には、例えば、そのプログラムが記録されたＤＶＤ、ＣＤ−ＲＯＭ等の可搬型記録媒体が販売される。また、プログラムをサーバコンピュータに格納しておき、ネットワークを介して、サーバコンピュータから他のコンピュータにそのプログラムを転送することもできる。
【０１０７】
上記プログラムを実行するコンピュータは、例えば、可搬型記録媒体に記録されたプログラム若しくはサーバコンピュータから転送されたプログラムを、自己の記憶装置に格納する。そして、コンピュータは、自己の記憶装置からプログラムを読み取り、プログラムに従った処理を実行する。なお、コンピュータは、可搬型記録媒体から直接プログラムを読み取り、そのプログラムに従った処理を実行することもできる。また、コンピュータは、サーバコンピュータからプログラムが転送されるごとに、逐次、受け取ったプログラムに従った処理を実行することもできる。
【０１０８】
また、プログラムで記述された処理の一部または全てを、電子回路に置き換えることが可能である。例えば、上記の処理機能の少なくとも一部を、ＤＳＰ、ＡＳＩＣ（Application Specific Integrated Circuit）、ＰＬＤ（Programmable Logic Device）等の電子回路で実現してもよい。
【０１０９】
なお、上述の実施の形態は、実施の形態の要旨を逸脱しない範囲内において種々の変更を加えることができる。
さらに、上述の実施の形態は、多数の変形、変更が当業者にとって可能であり、説明した正確な構成及び応用例に限定されるものではない。
【符号の説明】
【０１１０】
１  ＲＦＩＤタグ発行システム
２  検出装置
３，３ａ，３ｂ，３ｃ  書き込み装置
４，４ａ，４ｂ，４ｃ  ＲＦＩＤタグ
５，５ａ，５ｂ  発行対象タグ
【図１】
0006545109.tif 000002
【図２】
0006545109.tif 000003
【図３】
0006545109.tif 000004
【図４】
0006545109.tif 000005
【図５】
0006545109.tif 000006
【図６】
0006545109.tif 000007
【図７】
0006545109.tif 000008
【図８】
0006545109.tif 000009
【図９】
0006545109.tif 000010
【図１０】
0006545109.tif 000011
【図１１】
0006545109.tif 000012
【図１２】
0006545109.tif 000013